(57)【特許請求の範囲】
【請求項１】
混合槽内に相反方向に回転する二本の平行な混合軸を配設し、それぞれの混合軸に材料を前記軸方向に押し出すように所定角度に傾斜させた押し出し羽根と、混合軸の軸心に略平行とした帯板に複数本の所定長さの丸棒を羽根の回転方向に櫛状に並べて混合軸側に突出させて固着した擦り潰し羽根とを、放射状にかつ混合軸に沿って所定間隔で複数配設すると共に、前記擦り潰し羽根と混合槽内壁との隙間が回転進行方向の先端部が広くて後方になるにしたがって漸次狭くなるようにし、擦り潰し羽根と混合槽の内壁との間に塊状物を挟み込んで混合槽の内壁に押し当てて擦り潰すように構成したことを特徴とする解砕混合用ミキサ。
【発明の詳細な説明】
【０００１】
【発明の属する技術分野】
本発明は、例えば、泥土を脱水機によって脱水した脱水ケーキ等の塊状物を解砕することのできる解砕混合用ミキサに関する。
【０００２】
【従来の技術】
従来、生コンクリート製造工場ではミキサ車に搭載して出荷した生コンクリートが使用されずに製造工場に戻ってくることがあり、この戻り生コンクリートは処理装置によって骨材と、セメントや微粒分を含むスラッジ水とに分離され、更にスラッジ水中のスラッジ分はフィルタープレス等で脱水して塊状の脱水ケーキとして取り出し、脱水ケーキは処分場に運搬して廃棄処分し、骨材は再利用される。
【０００３】
【発明が解決しようとする課題】
しかしながら、最近では脱水ケーキを廃棄処分せずに有効利用できないかという要望もあり、そのためには固形化した脱水ケーキを細かく砕いて粒状化できれば、固化材等と混合して道路の路盤材等への用途も広がるのではないかと考えられている。
【０００４】
本発明は上記の点に鑑み、脱水ケーキ等の塊状物を解砕できて再利用可能な状態にする解砕混合用ミキサを提供することを課題とする。
【０００５】
【課題を解決するための手段】
本発明は上記の課題を解決するために、混合槽内に相反方向に回転する二本の平行な混合軸を配設し、それぞれの混合軸に材料を前記軸方向に押し出すように所定角度に傾斜させた押し出し羽根と、混合軸の軸心に略平行とした帯板に複数本の所定長さの丸棒を羽根の回転方向に櫛状に並べて混合軸側に突出させて固着した擦り潰し羽根とを、放射状にかつ混合軸に沿って所定間隔で複数配設すると共に、前記擦り潰し羽根と混合槽内壁との隙間が回転進行方向の先端部が広くて後方になるにしたがって漸次狭くなるようにし、擦り潰し羽根と混合槽の内壁との間に塊状物を挟み込んで混合槽の内壁に押し当てて擦り潰すように構成したことを特徴としている。
【０００６】
【発明の実施の形態】
本発明の解砕混合用ミキサによれば、混合軸を回転させて混合槽内で押し出し羽根及び擦り潰し羽根を回転させる。このとき、これらの羽根は混合槽の側壁に沿って上昇する方向に回転させる。
【０００７】
そして混合槽内に塊状の脱水ケーキ等を投入すると、押し出し羽根の押圧面が塊状の材料に所定の角度で当接し、材料を剪断作用で押し切りながら混合軸に沿って移動させる。また、擦り潰し羽根が混合槽の底部から側壁へと回転する間に材料を混合槽壁に押し付けて押し潰しながら持ち上げる。このように、押し出し羽根と擦り潰し羽根によって材料は剪断作用と押し潰しの作用を繰り返し受けて細かく解砕されていく。
【０００８】
【実施例】
以下、本発明の実施例を図面に基づいて説明する。
【０００９】
図中の１は塊状物を解砕する混合するミキサであって、混合槽２内に二本の平行な混合軸３、３´を貫通し、混合槽２に固定した軸受４により回転自在に支持している。
【００１０】
混合軸３、３´の一端部にはギヤ５、５´を装着して固定すると共に、それぞれのギヤ５、５´を噛合させて混合軸３、３´を同期速度で回転させるようにしている。また、混合軸３、３´の他端部には回転伝達機構としてスプロケット６、６´を装着して固定し、該スプロケット６、６´と駆動用モータ７、７´に取り付けたスプロケット８、８´とをチェーン９、９´により連結し、駆動用モータ７、７´によって混合軸３、３´を図５の矢印で示す方向に回転させる。
【００１１】
混合軸３、３´には図５に示すように軸芯に対して直交する方向に環状のフランジ１０を軸芯方向に所定の間隔で複数枚固着し、該フランジ１０には羽根部分を所定角度に折曲した押し出し羽根１１を放射方向にボルトナット１２により取り付けている。
【００１２】
この押し出し羽根１１は材料を剪断作用で押し切りながら混合軸３、３´に沿って移動させるもので、取り扱う塊状物の大きさや粘性等の性状に応じて羽根の大きさや傾斜角度を適宜選定すると良い。
【００１３】
また、フランジ１０には塊状物を擦り潰す作用を行う擦り潰し羽根１３を配設している。該擦り潰し羽根１３は混合軸３、３´の軸芯に略平行とした帯板１４に複数本の所定長さの丸棒１５を羽根の回転方向に櫛状に並べて固着したものであり、混合槽２と擦り潰し羽根１３との隙間は、図５に示すように、進行方向の先端部が一番広くて後方になるにしたがって漸次狭くなるようにしてボルトナット１２でフランジ１０に取り付けており、擦り潰し羽根１３と混合槽２の内壁１６との間隙に擦り潰そうとする塊状物を噛み込み易く、かつ内壁１６に強く押し付けられるようにしている。この擦り潰し羽根１３と混合槽２の内壁１６との間隙は、塊状物の擦り潰しに大きな影響を与えるため、脱水ケーキ等の塊状物の性状に応じて擦り潰すのに適切な隙間に調整する。
【００１４】
また、この擦り潰し羽根１３は擦り潰す塊状物によっては丸棒を櫛状に並べたものでなくても適宜大きさの平板でも良く、羽根と混合槽２の内壁１６との間に塊状物を挟み込むと同時に内壁１６に押し当てて擦り潰すことのできる形状であれば種々の形状のものを適宜選択使用することができる。
【００１５】
押し出し羽根１１と擦り潰し羽根１３を軸芯方向に向けて所定の間隔でフランジ１０に取り付ける際に、押し出し羽根１１で押し出された材料を擦り潰し羽根１３にて擦り潰すように擦り潰し羽根１３を配置すると潰し効果が上げられて好ましい。
【００１６】
しかして、ミキサ１の混合軸３、３´を回転させながら混合槽２内に脱水ケーキ等の塊状の材料を投入すると、押し出し羽根１１が混合槽２の中央部付近で材料を捕らえて剪断作用で材料を押し切りながら混合槽２の下方へと押し込むように取り込む。この混合槽２の下方に押し込まれた材料は続いて回転してくる擦り潰し羽根１３により捕らえられ、擦り潰し羽根１３の回転に伴って混合槽２の内壁１６に押し当てられながら擦り潰される。この押し出し羽根１１による剪断作用と送り込み作用、擦り潰し羽根１３による擦り潰し作用が繰り返されて塊状の材料が次第に細かく解砕されていく。ミキサ１はバッチ処理用のために混合軸３、３´のそれぞれの押し出し羽根１１の羽根傾斜は逆にしているので、投入された材料はミキサ内を混合軸３、３´に沿って周回するように移動し、所定時間解砕すれば混練槽２の底部の排出口（図示せず）を開放して排出される。
【００１７】
このように、上記ミキサ１にて脱水ケーキ等の塊状物を解砕して粒状化し再利用可能な状態にすることができ、これによってミキサの材料解砕中に種々の固化材等を添加すれば、粒状化した材料と固化材等が良く混合されて所望の製品に仕上げることができるのである。
【００１８】
なお、本実施例では、バッチ処理のミキサを例に上げて説明したが、何らバッチ処理のミキサに限定するものではなく、混合槽２の一端部に材料投入口を、他端部に排出口を備えた連続処理のミキサであっても良く、この場合には混合軸３、３´のそれぞれの押し出し羽根１１は一端の材料投入口から他端の排出口に送り出すような羽根角度を有するものとする。
【００１９】
また、擦り潰し羽根１３として丸棒１５を櫛状に並べて形成したものは擦り潰し羽根１３への材料の付着が少なく、また、全体を平板にて形成したものは表面にやや付着するものの、塊状物のこなれかたが細かくなることが実験で判明した。したがって、解砕する塊状物の性状や解砕後の用途によって、擦り潰し羽根の形状を適宜選択すると良い。
【００２０】
【発明の効果】
以上のように本発明に係る解砕混合用ミキサにあっては、混合槽内に相反方向に回転する二本の平行な混合軸を配設し、それぞれの混合軸に材料を前記軸方向に押し出すように所定角度に傾斜させた押し出し羽根と、混合軸の軸心に略平行とした帯板に複数本の所定長さの丸棒を羽根の回転方向に櫛状に並べて混合軸側に突出させて固着した擦り潰し羽根とを、放射状にかつ混合軸に沿って所定間隔で複数配設すると共に、前記擦り潰し羽根と混合槽内壁との隙間が回転進行方向の先端部が広くて後方になるにしたがって漸次狭くなるようにし、擦り潰し羽根と混合槽の内壁との間に塊状物を挟み込んで混合槽の内壁に押し当てて擦り潰すように構成したので、脱水ケーキ等の塊状物を容易に解砕して粒状化することができて再利用可能な状態にすることができる。
【図面の簡単な説明】
【図１】本発明に係る解砕混合用ミキサの一実施例を示す正面図である。
【図２】図１の平面図である。
【図３】図１の一部を切り欠いた要部拡大図である。
【図４】図３の平面図である。
【図５】図４のＡ−Ａ線断面図である。
【符合の説明】
１…ミキサ                    ２…混合槽
３、３´…混合軸              １０…フランジ
１１…押し出し羽根            １３…擦り潰し羽根
１６…内壁
【図１】
0004303815.tif 000002
【図２】
0004303815.tif 000003
【図３】
0004303815.tif 000004
【図４】
0004303815.tif 000005
【図５】
0004303815.tif 000006